(57)【要約】【課題】ＰＤＰ装置などにおいて、階調表現の不足を抑えつつ、動画像表示時の偽輪郭の対策により表示品位を向上できる技術を提供する。【解決手段】本ＰＤＰ装置では、例えば２種類のＳＦ点灯パターン（Ａ，Ｂモード）をフィールド内の空間的に異なる領域に等分して配置する。例えば画素単位で千鳥状に配置する。すべての点灯段階（step）において、偽輪郭の発生源となる点灯ＳＦの抜けが存在するのは、１つのモードのみに限られる。よって、各モード合わせたフィールドあたりの点灯ＳＦの抜けの発生の率（Ｒ）が低く、偽輪郭のレベルを低減できる。更に、フィールド間でも各モードの空間的な配置が随時変更されるように構成する。【選択図】図５
2008051949.tif 000002
【特許請求の範囲】
【請求項１】
表示パネルに対する多階調の動画像の表示において、前記動画像に対応するフィールドが輝度に関する最下位から最上位までの重み付けが与えられた複数（ｍ）のサブフィールドに時間的に分割して構成され、入力の表示データに応じて前記複数（ｍ）のサブフィールドの選択点灯によって前記フィールドの画素の階調を表現する階調表示処理方法であって、
前記入力の表示データに応じて、前記フィールド内の空間的に異なる領域について前記サブフィールドの選択点灯のパターンが複数（ｎ）種類選択可能であり、
前記複数（ｎ）種類のパターンにおける、前記階調に対応付けられる点灯段階に対する前記複数（ｍ）のサブフィールドの選択点灯の構成において、複数の点灯段階のそれぞれに対して、いずれか１つのパターンのみでは、最下位から表示データに応じた最上位の点灯までの途中に１つのみ消灯があることが許可され、かつ、その他のｎ−１のパターンでは、最下位から表示データに応じた最上位の点灯までが連続点灯となる構成であることを特徴とする階調表示処理方法。
【請求項２】
請求項１記載の階調表示処理方法において、
前記ｎ種類のパターンと同じ数の連続するｎ個のフィールドにおける、当該フィールド内の空間的に同じ領域について、前記ｎ種類のパターンが選択可能であり、
前記同じ領域ごとに、前記連続するｎ個のフィールドで前記ｎ種類のパターンのすべてを、随時変更により選択することを特徴とする階調表示処理方法。
【請求項３】
請求項１または２に記載の階調表示処理方法において、
前記フィールド内のすべての画素による領域を対象として、前記ｎ種類のパターンの空間的な配置において、１／ｎずつ等分に配置されることを特徴とする階調表示処理方法。
【請求項４】
請求項１〜３のいずれか一項に記載の階調表示処理方法において、
前記ｎ＝２であることを特徴とする階調表示処理方法。
【請求項５】
請求項１〜３のいずれか一項に記載の階調表示処理方法において、
前記ｎ＝４であることを特徴とする階調表示処理方法。
【請求項６】
請求項４記載の階調表示処理方法において、
前記フィールド内の画素による領域における前記ｎ＝２種類のパターンの空間的な配置において、画素行列における行単位と列単位の少なくともいずれか一方で反転した配置であることを特徴とする階調表示処理方法。
【請求項７】
請求項４記載の階調表示処理方法において、
前記フィールド内の画素による領域における前記ｎ＝２種類のパターンの空間的な配置において、画素行列における画素単位で反転した千鳥状の配置であることを特徴とする階調表示処理方法。
【請求項８】
請求項４記載の階調表示処理方法において、
前記フィールド内の画素による領域における前記ｎ＝２種類のパターンの空間的な配置において、画素行列における２行及び１列のブロック単位で反転した千鳥状の配置であることを特徴とする階調表示処理方法。
【請求項９】
請求項１〜８のいずれか一項に記載の階調表示処理方法において、
前記ｎ種類のパターンにおける少なくとも１種類のパターンは、最下位から表示データに応じた最上位の点灯までの途中の消灯の数がｍ−２となる構成であることを特徴とする階調表示処理方法。
【請求項１０】
請求項１〜９のいずれか一項に記載の階調表示処理方法において、
前記ｎ種類のパターンにおいて、下位のサブフィールドのみでは、最下位から表示データに応じた最上位の点灯までの途中に消灯があることを許可する構成であることを特徴とする階調表示処理方法。
【請求項１１】
電極群によりセルによる画素が構成されるプラズマディスプレイパネルと、前記プラズマディスプレイパネルを駆動及び制御する回路部とを備え、前記プラズマディスプレイパネルに対する多階調の動画像の表示において、前記動画像に対応するフィールドが輝度に関する最下位から最上位までの重み付けが与えられた複数（ｍ）のサブフィールドに時間的に分割して構成され、入力の表示データに応じて前記複数（ｍ）のサブフィールドの選択点灯によって前記フィールドの画素の階調を表現する階調表示処理を行うプラズマディスプレイ装置であって、
前記入力の表示データに応じて、前記フィールド内の空間的に異なる領域について前記サブフィールドの選択点灯のパターンが複数（ｎ）種類選択可能であり、
前記複数（ｎ）種類のパターンにおける、前記階調に対応付けられる点灯段階に対する前記複数（ｍ）のサブフィールドの選択点灯の構成において、複数の点灯段階のそれぞれに対して、いずれか１つのパターンのみでは、最下位から表示データに応じた最上位の点灯までの途中に１つのみ消灯があることが許可され、かつ、その他のｎ−１のパターンでは、最下位から表示データに応じた最上位の点灯までが連続点灯となる構成であることを特徴とするプラズマディスプレイ装置。
【請求項１２】
請求項１１記載のプラズマディスプレイ装置において、
前記ｎ種類のパターンと同じ数の連続するｎ個のフィールドにおける、当該フィールド内の空間的に同じ領域について、前記ｎ種類のパターンが選択可能であり、
前記同じ領域ごとに、前記連続するｎ個のフィールドで前記ｎ種類のパターンのすべてを、随時変更により選択することを特徴とするプラズマディスプレイ装置。
【発明の詳細な説明】
【技術分野】
【０００１】
本発明は、多階調の表示のための階調表示処理を行う表示装置の技術に関し、特に、プラズマディスプレイパネル（ＰＤＰ）を備えるプラズマディスプレイ装置（ＰＤＰ装置）などにおける動画像の偽輪郭（擬似輪郭）に対処するための技術に関する。
【背景技術】
【０００２】
ＡＣ型のＰＤＰ装置は、平面型ディスプレイとして広く利用されている。ＰＤＰ装置は、フレーム内時分割法（サブフィールド法）を用いて階調表現のための階調表示処理を行う。サブフィールド法において、表示パネル（ＰＤＰ）に表示される、映像表示単位となるフィールド（またはフレーム）は、点灯時の明るさ（発光表示の輝度）に関する重み付けが与えられた複数のサブフィールド（またはサブフレーム）に、時間的に分割して構成される。そして、フィールドにおけるサブフィールドの点灯／消灯（非点灯）の組み合わせ（選択点灯）により、フィールドのセル及び対応する画素における階調が表現される。階調表示処理において、入力の表示データ（映像信号）に対して、フィールドの各セルのサブフィールド選択点灯の方式に従って、表示パネル（ＰＤＰ）に出力する表示データ（フィールド及びサブフィールドデータ）を、変換により生成する。サブフィールド選択点灯の方式とは、換言すれば、表示すべき階調値に対応付けられる点灯段階（ｓとする）と、フィールド内の各サブフィールドの点灯のオン／オフの状態の組み合わせとの対応関係（サブフィールド点灯パターンなどと称する）である。なお、点灯段階（ｓ）は、階調値と対応付けられるが、別のものである。
【０００３】
ＰＤＰ装置における動画像表示時には、例えば人物の頬の肌色部分などに、等高線上に赤紫色や緑色の線が発生する。当現象は、偽輪郭などと呼ばれ、表示品位を阻害させるため、何らかの対策が必要とされる。偽輪郭の発生源としては、サブフィールド点灯パターンにおける点灯サブフィールドの抜けが考えられる。ここでいう点灯サブフィールドの抜けとは、点灯段階（ｓ）において、複数の点灯サブフィールド（オン状態）の途中に消灯サブフィールド（オフ状態）が存在することである。例えば、サブフィールド点灯パターンがバイナリ符号化構成の場合において、ビットの桁上がりの箇所などもこれに相当する。
【０００４】
偽輪郭の対策として、最大の効果が得られると考えられる従来の方法としては、以下の第１の方法がある。第１の方法として、サブフィールド点灯パターンの構成として、１つのフィールドがｍ個のサブフィールドで構成される場合において、点灯段階（ｓ）をｍ＋１として、点灯段階（ｓ）を１つ上げる度に点灯サブフィールドを１ずつ増やしてゆく。これにより、偽輪郭の発生源となる点灯サブフィールドの抜けを無くすものである。図１６に、第１の方法でのサブフィールド点灯パターンの例を示している。第１の方法については、特許第３３２２８０９号公報（特許文献１）や特許第３３６５６３０号公報（特許文献２）に記載されている。
【特許文献１】特許第３３２２８０９号公報
【特許文献２】特許第３３６５６３０号公報
【発明の開示】
【発明が解決しようとする課題】
【０００５】
しかしながら、一般的にフィールド表示が６０Ｈｚ時のサブフィールド数（ｍ）は１０程度であることが多いが、その場合、前記第１の方法では点灯段階（ｓ）が１１しか無く、階調表現として著しく足りない映像になってしまう。即ち、単純にサブフィールド点灯パターンにおける点灯サブフィールドの抜けを無くす構成とすると、階調表現（点灯段階（ｓ）数）が不足する副作用があり、これにより表示品位を阻害させる。
【０００６】
また、階調表現を十分確保でき、よく用いられる従来の方法としては、以下の第２の方法がある。第２の方法として、サブフィールド点灯パターンとして、全点灯段階（ｓ）のうちいくつかの箇所において、最下位から最上位の点灯サブフィールドまでの複数のサブフィールドにおける途中の１箇所のサブフィールドのみでオフ状態（点灯サブフィールドの抜け）にする点灯段階（ｓ）を設ける構成とする。この場合、点灯段階（ｓ）が増え階調表現に有利であるが、点灯サブフィールドの抜けがある点灯段階（ｓ）の箇所が偽輪郭の発生源になる。図１７に、第２の方法でのサブフィールド点灯パターンの例を示している。
【０００７】
本発明は以上のような問題に鑑みてなされたものであり、その目的は、階調表示処理を行うＰＤＰ装置などの技術において、階調表現の不足を抑えつつ、動画像表示時の偽輪郭の対策により表示品位を向上できる技術を提供することにある。換言すれば、目的は、偽輪郭レベル低減と階調数確保とを両立できることである。
【課題を解決するための手段】
【０００８】
本願において開示される発明のうち、代表的なものの概要を簡単に説明すれば、次のとおりである。前記目的を達成するために、本発明は、階調表示処理を行うＰＤＰ装置などの技術であって、前記フレーム内時分割方法（サブフィールド法）を用いて動画像表示を行うものであり、以下に示す技術的手段を備えることを特徴とする。
【０００９】
本階調表示処理方法及びＰＤＰ装置では、入力の表示データ（映像信号）に応じて、サブフィールド点灯パターンに従って、フィールド及びサブフィールドデータを、変換により生成及び出力する階調表示処理を行う。その際、フィールドにおける空間的に異なる箇所のセル（領域）について、複数（ｎ）種類のサブフィールド点灯パターン（モード）が選択可能である。例えば、フィールドの画素の行列において、画素単位で異なるモードが繰り返し配置される。
【００１０】
そして、ｎ種類のモードにおいて、フィールド内のサブフィールドの選択点灯状態として、例えば、ｎ−１種類のモード（第１モード）では、最下位（最小の重みの点灯ＳＦ：ＳＦmin）から表示データに応じた最上位の点灯サブフィールド（最大の重みの点灯ＳＦ：ＳＦmax）までの複数のサブフィールドにおいて連続点灯（すべてオン状態）であり、かつ、１種類のモード（第２モード）では、最下位（ＳＦmin）から最上位（ＳＦmax）までの複数のサブフィールドにおいて途中の１箇所のサブフィールドのみ点灯ＳＦの抜け（オフ状態）が存在する構成であることを特徴とする。すべての点灯段階（ｓ）において、ｎ種類のモードのうち多くとも１つの第２モードでしか点灯サブフィールドの抜けの存在を許可しない構成にする。
【００１１】
上記第１モードでは、前記第１の方法の考え方を用いて偽輪郭に対処する。上記第２モードでは、前記第２の方法の考え方を用いて点灯段階（ｓ）数を確保する。第１と第２モードの空間的な組み合わせにより、階調数を確保しつつ偽輪郭のレベルを低減させる。
【００１２】
本階調表示処理方法及びＰＤＰ装置では、同一入力階調値に対して、１つのフィールド内におけるｎ種類のサブフィールド点灯パターン（モード）の適用の空間的な配置として、例えばｎ個のモードが、１／ｎずつの配分になるように等分して配置する。フィールド単位において、点灯サブフィールドの抜けが存在する箇所（領域）の率が低減され、偽輪郭の発生のレベルが、前記第２の方法の場合に比べて半分になる。
【００１３】
また複数（ｎ）のモードは、空間的に、更には時間的に、できる限り細かい間隔で変化させるように配置する。空間的には、例えば、画素単位やブロック単位などで千鳥状に配置する。時間的には、複数（ｎ）の連続するフィールドでみた場合に同一の明るさになるように、複数（ｎ）のフィールド間で、フィールド内の複数（ｎ）のモードの空間的な配置を反転または巡回させる。これにより、複数（ｎ）のモードの点灯段階（ｓ）ごとの明るさの違いよる、望ましくない模様（ハッチ模様など）の発生を無くす。
【発明の効果】
【００１４】
本願において開示される発明のうち、代表的なものによって得られる効果を簡単に説明すれば以下のとおりである。本発明によれば、階調表示処理を行うＰＤＰ装置等の技術において、階調表現の不足を抑えつつ、動画像表示時の偽輪郭の対策により表示品位を向上できる。
【発明を実施するための最良の形態】
【００１５】
以下、本発明の実施の形態を図面（図１〜図１７）に基づいて詳細に説明する。なお、実施の形態を説明するための全図において、同一部には原則として同一符号を付し、その繰り返しの説明は省略する。
【００１６】
まず、図１６，図１７を用いて、本実施の形態の技術の前提技術となる、従来技術の第１及び第２の方法について簡単に説明する。以下、サブフィールドをＳＦと略称する。
【００１７】
＜従来技術：第１の方法＞
図１６において、従来技術の第１の方法における、ＳＦ点灯パターンの表の例を示している。点灯段階（ｓ：step）とフィールドの点灯ＳＦの組み合わせとの対応関係を示している。本方法は、１つのＳＦで１つの階調を表現するものである。丸印は点灯（オン状態）を表し、それ以外の空欄は消灯（オフ状態）を表す。例えばフィールドは１０個（ｍ＝１０）のＳＦ（ＳＦ１〜ＳＦ１０）からなり、点灯段階（ｓ）が０〜１０の１１個である。点灯段階（ｓ）に対して階調値が対応付けられる。本構成では、最下位（ＳＦmin）から表示データに応じた最上位の点灯ＳＦ（ＳＦmax）までが連続点灯となり、点灯ＳＦの抜けが無い構成であるため、偽輪郭に対して効果的に対処できる。しかし、点灯段階（ｓ）が少なく、即ち直接に表現できる階調値が少なく、十分な階調表現のためには著しく不足である。なお、点灯段階（ｓ）に対応付けられる階調値の間にある階調値の表現のためには、公知の誤差拡散処理などを用いるが、本方法の場合、それでも階調表現が不十分である。
【００１８】
＜従来技術：第２の方法＞
図１７において、従来技術の第２の方法における、ＳＦ点灯パターンの表の例を示している。本方法は、ＳＦ点灯パターンが１種類のみの場合における、最下位（ＳＦmin）から最上位（ＳＦmax）までの途中の１つのＳＦのみでオフ状態にする点灯段階（ｓ）を設けるものである。空欄の斜線部分は、消灯のうち特に、点灯ＳＦの途中にある抜けを表す。例えばフィールドの１０個（ｍ＝１０）のＳＦ（ＳＦ１〜ＳＦ１０）において、点灯段階（ｓ）が０から１９までの２０である。本例では、ｓが奇数では、最下位（ＳＦmin）から最上位（ＳＦmax）まで連続点灯の状態となっており、ｓが０を除く偶数では、最上位（ＳＦmax）までの途中（特に最上位の１つ下）に１つの点灯ＳＦの抜けが存在する状態となっている。例えばｓ＝６をみると、最下位（ＳＦmin）のＳＦ１から、最上位（ＳＦmax）のＳＦ４までにおいて、その途中の１つ下のＳＦ３において、オフ状態となっている。また、Ｒで示す「フィールド単位のＳＦ抜け率」は、点灯段階（ｓ）における、フィールドあたりで考えた場合の、点灯ＳＦの抜けの発生の率を表す。例えばｓ＝６では、ＳＦ３で点灯ＳＦの抜けが発生するため、Ｒが１００％と考える。
【００１９】
図１７の第２の方法では、図１６の第１の方法と比較して、点灯段階（ｓ）が１１から２０へと増えて階調表現に有利であるが、偽輪郭のレベルの指標となるＲで示す「フィールド単位のＳＦ抜け率」は、０％または１００％で、最大は１００％であり、その１００％の箇所が偽輪郭の発生源になる。
【００２０】
（実施の形態１）
図１〜図５等を参照しながら、本発明の実施の形態１におけるＰＤＰ装置を説明する。実施の形態１では、ＰＤＰ装置において、特徴として、フィールド内の領域で、第１及び第２の方法の組み合わせを考慮して、点灯ＳＦの抜けの箇所が半分になるように、ｎ＝２種類のＳＦ点灯パターンを混ぜて空間的に１／２ずつ等分に配置した構成により、偽輪郭のレベルを半減したものである。
【００２１】
＜ＰＤＰ装置＞
まず、基本構成を説明する。図１において、各実施の形態における、ＰＤＰ装置の全体の構成を説明する。本ＰＤＰ装置は、表示パネル（ＰＤＰ）１０、制御回路１１０、及び駆動回路（ドライバ）１２０などを有する構成である。制御回路１１０には、階調表示処理部１１１、フィールドメモリ部１１２、及びタイミング生成部１１３などを有し、駆動回路１２０などを含むＰＤＰ装置全体を制御する。駆動回路１２０は、Ｘドライバ１２１、Ｙドライバ１２２、及びＡ（アドレス）ドライバ１２３などを有し、表示パネル１０を駆動制御する。
【００２２】
階調表示処理部１１１は、入力の映像信号（Ｖ）をもとに、表示パネル１０及び駆動回路１２０に対する、多階調の画素群による表示データの出力のための階調表示処理を実行して、当該表示データ（フィールド及びＳＦデータ）を出力する。フィールドメモリ部１１２は、階調表示処理部１１１からフィールド及びＳＦデータ等のデータを入力して一旦記憶し、次のフィールドの表示の時に、当該フィールドの全ＳＦデータを、駆動回路１２０に対して出力する。タイミング生成部１１３は、垂直同期信号（ＶＳ）、水平同期信号（ＨＳ）、クロック信号（ＣＬＫ）などを入力して、階調表示処理部１１１、フィールドメモリ部１１２、及び駆動回路１２０等を制御するのに必要なタイミング信号を生成及び出力する。
【００２３】
駆動回路１２０は、フィールドメモリ部１１２からのフィールド及びＳＦデータを入力して、それに従い、表示パネル１０の表示を駆動するための電圧波形を表示パネル１０の電極群に出力する。駆動回路１２０において、Ｘドライバ１２１は、表示パネル１０のＸ電極群を電圧印加により駆動する。Ｙドライバ１２２は、Ｙ電極群を電圧印加により駆動する。Ａドライバ１２３は、アドレス電極群を電圧印加により駆動する。表示パネル１０は、例えば、表示の維持放電を発生させるためのＸ電極及びＹ電極、並びにアドレス動作のためのアドレス電極を有する、ＡＣ型の三電極構造のＰＤＰである。Ｙ電極は、走査動作にも使用される。
【００２４】
入力の映像信号（Ｖ）は、例えば、ＲＧＢ形式の階調値の情報を含む信号／データである。フィールド及びＳＦデータは、階調値の情報に対応した、各ＳＦの各セルのオン／オフの情報に符号化されたデータである。制御回路１１０は、後述される、複数（ｎ）種類のＳＦ点灯パターンのデータ、及びそれらの適用の設定を保持している。階調表示処理部１１１は、それら制御データを用いて、フィールド及びＳＦデータへの変換処理を行う。
【００２５】
＜ＰＤＰ＞
図２において、ＰＤＰ１０のパネル構造の一例を説明する。画素に対応した一部分を示している。ＰＤＰ１０は、主に発光ガラスで構成される前面基板１１及び背面基板１２の構造体が対向して組み合わされ、その周囲部が封止され、その空間に放電ガスが封入されることにより構成される。
【００２６】
前面基板１１上には、維持放電を行うための複数のＸ電極２１及びＹ電極２２が、横（行）方向に平行に伸びて縦（列）方向に交互に形成されている。これらの電極群は、誘電体層２３及び更にその表面が保護層２４により覆われている。背面基板１２上には、Ｘ電極２１及びＹ電極２２とは略垂直の縦方向に、複数のアドレス電極２５が平行に伸びて形成されており、更に誘電体層２６に覆われている。誘電体層２６上、アドレス電極２５の両側には、縦方向に伸びる隔壁２７が形成され、列方向を区分けしている。更に、アドレス電極２５上の誘電体層２６上面、及び隔壁２７側面には、紫外線により励起されて赤（Ｒ），緑（Ｇ），青（Ｂ）の各色の可視光を発生する蛍光体２８が塗布されている。
【００２７】
Ｘ電極２１とＹ電極２２の対に対応して表示の行が構成され、更にアドレス電極２５との交差に対応して表示の列及びセルが構成される。Ｒ，Ｇ，Ｂのセルのセットにより画素が構成される。セル（画素）の行列によりＰＤＰ１０の表示領域が構成され、映像表示単位となるフィールド及びＳＦに対応付けられる。ＰＤＰは、駆動方式などに応じて各種構造が存在する。
【００２８】
＜フィールド及びＳＦ＞
図３において、ＰＤＰ１０の駆動制御の基本として、フィールド（フィールド期間）及びＳＦ（サブフィールド期間）の駆動方式を説明する。１つのフィールド（Ｆ）３００は、例えば１／６０秒で表示される。フィールド（Ｆ）３００は、階調表現のために時間的に分割された複数（ｍ）のＳＦ（ＳＦ１〜ＳＦｍ）３１０により構成される。各ＳＦ３１０は、リセット期間３２１と、アドレス期間３２２と、サステイン期間３２３とを有する。フィールド３００のＳＦ３１０は、サステイン期間３２３の長さ（換言すれば維持放電回数）による重み付けが与えられており、これらのＳＦ（ＳＦ１〜ＳＦｍ）３００の点灯（オン）／非点灯（オフ）の組み合わせによって、画素の階調が表現される。
【００２９】
リセット期間３２１では、ＳＦ３１０の全てのセルを初期状態にセットして次のアドレス期間３２２に備えるための電荷書き込み及び調整の動作を実施する。次のアドレス期間３２２では、ＳＦ３１０のセル群におけるオン／オフのセルを選択するアドレス動作を行う。即ち、表示データに応じて、Ｙ電極２２への走査パルスの印加、かつアドレス電極２５へのアドレスパルスの印加により、点灯対象セルでアドレス放電を行う（書き込みアドレス方式の場合）。次のサステイン期間３２３では、直前のアドレス期間３２２でアドレスされた選択セルにおいて、Ｘ電極及びＹ電極（２１，２２）に対する維持パルスの印加により、維持放電を実施して発光表示する動作を行う。
【００３０】
＜フィールド内モード配置（１）＞
以上の基本構成を踏まえて、実施の形態１の特徴を説明する。図４において、実施の形態１における、フィールド内における複数（ｎ）のＳＦ点灯パターンの選択的な適用による空間的な配置の例を示している。本構成では、フィールド内のセルによる領域において、ｎ＝２種類のＳＦ点灯パターンが選択可能であり、これらを混ぜて空間的に交互に変化させるように配置する。以下、ＳＦ点灯パターンをモードともいう。本例では、この２種類のモード（Ａ，Ｂモードとする）のフィールド内の空間的な配置として、フィールドの画素の行列における、画素単位、換言すれば１行及び１列の単位で、Ａ，Ｂモードを交互反転させて千鳥状に配置した構成を示している。また、フィールド内のＡ，Ｂモードの配分は、５０％ずつで等分である。なお、画素は、Ｒ，Ｇ，Ｂのセルのセットに対応付けられる。画素の１列は、Ｒ，Ｇ，Ｂのセルの３列に対応する。
【００３１】
＜モード構成（１）＞
次に、図５において、実施の形態１での、図４の構成における、２種類のＳＦ点灯パターン（Ａ，Ｂモード）の構成などを示している。フィールドが１０個（ｍ＝１０）のＳＦ（ＳＦ１〜ＳＦ１０）からなる構成において、明るさの重み付けの小さい方から順に並んでいる。本例で、点灯段階（ｓ）は、０から３８までの３９である。
【００３２】
ＳＦ点灯パターン（ＳＦ変換表）は、表示対象のフィールドにおける画素の階調と対応付けられる点灯段階（ｓ）毎に、フィールドの各ＳＦ（ＳＦ１〜ＳＦ１０）のオン／オフの状態を決定付ける。点灯段階（ｓ）に対して階調値が対応付けられるが、その階調値の間の値を表現する場合、公知の誤差拡散処理などを用いる。
【００３３】
例えばｓ＝７に注目すると、Ａモードでは、ＳＦ１，２，４が点灯となり、Ｂモードでは、ＳＦ１，２，３が点灯となる。これは、同一の点灯段階（ｓ）において、Ａ，Ｂモードで異なるＳＦを点灯させる構成をとっている。ここで、Ｂモードでは、ＳＦ１，２，３において、最下位（ＳＦmin＝ＳＦ１）から表示データに応じた最上位の点灯ＳＦ（ＳＦmax＝ＳＦ３）までが連続点灯になり、その途中での点灯ＳＦの抜けが無いことから、偽輪郭が発生し難い構成になっている。一方、Ａモードでは、ＳＦ１，２，３，４において、最下位（ＳＦmin＝ＳＦ１）から表示データに応じた最上位の点灯ＳＦ（ＳＦmax＝ＳＦ４）までで、その途中のＳＦ３（最上位の１つ下）が消灯による抜けになっており、こちらは偽輪郭の発生源となる。
【００３４】
ここで、図４の構成において、Ａ，Ｂモードとも、１フィールド内の空間的な配置の配分が、５０％で等分である。よって、１フィールド内において偽輪郭の発生源となるのは、Ｂモードのみで、空間的には５０％のみである。これにより、点灯ＳＦの抜けがある単一のＳＦ点灯パターンを用いる場合に比べて、偽輪郭のレベルが半減する効果が得られる。
【００３５】
再度図５に着目すると、０〜３８までの全ての点灯段階（ｓ）について、Ａ，Ｂモードのどちらか一方側では、最下位（ＳＦmin）から最上位（ＳＦmax）までの全てが連続点灯（点灯ＳＦ抜け数が０）となっており、他方側では、最下位（ＳＦmin）から最上位（ＳＦmax）までの途中の１つのＳＦのみが消灯（点灯ＳＦ抜け数が１）になっている。そのため、Ｒ：「フィールド単位のＳＦ抜け率」、即ち、Ａ，Ｂモード合わせた１つのフィールドあたりでの、最下位（ＳＦmin）から最上位（ＳＦmax）までの途中に１つの点灯ＳＦの抜けが存在する率は、０％または５０％で、最大でも５０％に制限されている。
【００３６】
また、本例で、Ａモードでは、点灯ＳＦの抜けが存在する点灯段階（ｓ）は８個であり、Ｂモードでは、点灯ＳＦの抜けが存在する点灯段階（ｓ）は２０個であり、Ａモードの方が少なく構成している。また、ｓ＝６等の複数の点灯段階（ｓ）では、Ａ，Ｂモードとも、最下位（ＳＦmin）から最上位（ＳＦmax）まで連続点灯の構成となっている。
【００３７】
このように、実施の形態１では、フィールド内の２種類のモードの空間的な配置を用いた図４及び図５の構成をとることにより、従来の第１の方法と比較して、点灯段階（ｓ）数すなわち階調表現を確保でき、従来の第２の方法と比較して、偽輪郭のレベルを半減する効果を得られる。
【００３８】
（実施の形態２）
次に、図６〜図７等を用いて、実施の形態２を説明する。実施の形態２では、実施の形態１と基本構成は同様であり、フィールド内の領域で、ｎ＝４種類のＳＦ点灯パターン（Ａ，Ｂ，Ｃ，Ｄモードとする）が選択可能である。
【００３９】
＜フィールド内モード配置（２）＞
図６において、これらＡ〜Ｄモードのフィールド内の空間的な配置として、Ａ〜Ｄモードによる２行及び２列のブロック単位で、隣接画素間で異なるモードが繰り返されるように、Ａ〜Ｄモードを１／４で等分に配置した構成である。
【００４０】
＜モード構成（２）＞
図７において、図６の構成における、４種類のＳＦ点灯パターン（Ａ〜Ｄモード）の構成などを示している。また図７では、すべての点灯段階（ｓ）を図示すると多くなりすぎてしまうので、図示しているのは下位の５つのＳＦ（ＳＦ１〜ＳＦ５）に対応する３４の点灯段階（ｓ）の部分のみであり、他のＳＦ部分（ＳＦ６〜ＳＦ１０）でも同様構成である。
【００４１】
例えばｓ＝１８に注目すると、Ａモードは、ＳＦ１，２，４が点灯となり、Ｂ，Ｃ，Ｄモードでは、ＳＦ１，２，３が点灯となる。Ａモードのみが、ＳＦ１〜ＳＦ４の途中のＳＦ３が消灯になって点灯ＳＦの抜けが存在しており、これが偽輪郭の発生源となる。Ｂ，Ｃ，Ｄモードでは、ＳＦ１〜ＳＦ３が連続点灯である。
【００４２】
ここで、図６のように、Ａ〜Ｄモードとも、フィールド内の空間的な配分は、２５％ずつで等分である。よって、１フィールド内で偽輪郭の発生源となるのは、Ａモードのみで、空間的には２５％のみである。よって、ｎ＝４種類の本構成により、前述のｎ＝２種類の構成に比べて、偽輪郭のレベルが更に半減する効果が得られる。
【００４３】
再度図７に着目すると、０〜３３までの全ての点灯段階（ｓ）について、Ａ〜Ｄモードのうち３つのモードでは、全ての最下位（ＳＦmin）から最上位（ＳＦmax）までが連続点灯であり、１つのモードのみでは、最下位（ＳＦmin）から最上位（ＳＦmax）までの途中の１つのＳＦのみ消灯で抜けになっている構成である。そのため、Ｒ：「フィールド単位のＳＦ抜け率」は、０％または２５％で、最大でも２５％に制限されている。また、点灯ＳＦの抜けが生じるのは、Ａ，Ｃ，Ｂ，Ｄといったように異なるモードになる。また、ｓ＝１７等の複数の点灯段階（ｓ）では、いずれのモードにも点灯ＳＦの抜けが無い構成である。
【００４４】
このように、実施の形態２では、フィールド内の４種類のモードの空間的な配置を用いた図６及び図７の構成をとることにより、従来の第１の方法と比較して、点灯段階（ｓ）数すなわち階調表現を確保でき、従来の第２の方法と比較して、偽輪郭のレベルを１／４にする効果を得られる。
【００４５】
（実施の形態３）
次に、図８等を用いて、実施の形態３を説明する。実施の形態３では、実施の形態１と基本構成は同様であり、更に、連続する２つ（奇数・偶数）のフィールド間で、前記ｎ＝２種類のＳＦ点灯パターンのフィールド内の空間的なモード配置を反転させる構成である。
【００４６】
＜フィールド間モード配置（１）＞
再度、前記図４及び図５のｎ＝２種類のＡ，Ｂモードの空間的な配置の構成におけるｓ＝７に注目する。ＡモードではＳＦ１，２，４が点灯であり、ＢモードではＳＦ１，２，３が点灯である。ここで、ＳＦ１〜ＳＦ４の輝度比（重み付け）を、１，２，４，８であると仮定する。すると、Ａモードでは、点灯ＳＦによる合計の明るさが、１＋２＋８＝１１となり、Ｂモードでは、１＋２＋４＝７となる。この点灯段階（ｓ＝７）の映像は、単一の階調表示をさせているのにも係わらず、図４の配置に従って明るさが１１と７のセルが千鳥状に見えてしまい、表示品位の阻害になり得る。
【００４７】
そこで、図８のように、実施の形態３では、奇数・偶数フィールドで、フィールド内のＡ，Ｂモードの配置を反転させる構成をとる。これにより、連続する２つのフィールドで１つの階調を表現でき、時間方向の輝度の見え方としては、全てのセルにおいて、Ａ，Ｂモードの明るさの平均、例えば（１１＋７）／２＝９となる。よって、上記のように千鳥状ではなく、単一の階調表示の映像と認識でき、表示品位の阻害を抑制できる。
【００４８】
（実施の形態４）
次に、図９等を用いて、実施の形態４を説明する。実施の形態４として、前記実施の形態２の図６の構成に対しても、実施の形態３と同様に、複数フィールド間でフィールド内のモード配置を変化させる構成を適用する。
【００４９】
＜フィールド間モード配置（２）＞
図９のように、第１〜第４の連続する４つのフィールドにおいて、Ａ〜Ｄモードを一巡するように空間的なモード配置を変える構成をとる。これにより、連続する４つのフィールドで１つの階調を表現でき、時間方向の輝度の見え方としては、単一の階調表示の映像と認識でき、表示品位の阻害を抑制できる。
【００５０】
＜その他（１）＞
前述した各実施の形態では、偽輪郭の抑制のための対策として、基本的に複数のモードを用いて点灯段階（ｓ）における点灯ＳＦの抜けを減らす又は分散する構成とした。これに限らず、モードの点灯段階（ｓ）において点灯ＳＦの抜けの箇所が少なくても、偽輪郭の発生頻度が低下するので、偽輪郭の抑制になる。複数種類のうち少なくとも１種類のモードでは、できる限り途中に消灯が少ない構成にする。
【００５１】
前記図５をみると、Ａモード側は、１０個のＳＦによる３９の点灯段階（ｓ）において、点灯ＳＦの抜けが存在するのは８個である。これは、フィールドを構成するＳＦ数（ｍ＝１０）に対して、ｍ−２＝８と最小の構成をとっている。これにより、偽輪郭の発生頻度が低下するので、偽輪郭の抑制になる。
【００５２】
＜その他（２）＞
次に、図１０〜図１２を用いて、前述した各実施の形態の変形例を説明する。まず、フィールドのモードの配分の方法として、前記図８の画素単位（１行及び１列）の千鳥状の配置のように、できる限り空間的に隣接したセル領域同士で異なるモードが配置される構成の方が、画質上望ましい。
【００５３】
しかしながら、例えば、図１０のように、画素の行列における１列単位にＡ，Ｂモードを反転する構成、図１１のように、１行単位にＡ，Ｂモードを反転する構成、図１２のように、２行×１列のブロック単位に千鳥状に反転する構成などが可能である。これらの構成によっても、単一の階調表示の映像と認識でき、表示品位の阻害を抑制できる。
【００５４】
＜その他（３）＞
次に、図１３〜図１５は、前述した各実施の形態に適用可能な他の構成例を示す。図１３において、図５（及び図４，図８等）の構成の下位３ＳＦ（ＳＦ１〜ＳＦ３）の輝度比を１，２，４とした場合における、下位３ＳＦが全部点灯するまでの点灯段階（ｓ＝０〜６）と、フィールド内及びフィールド間での平均輝度の関係を示している。ｓ＝０〜６において、点灯ＳＦによる合計の明るさは、Ａモードでは、｛０，１，３，３，５，７，７｝であり、Ｂモードでは、｛０，１，２，３，３，５，７｝である。また、Ａ，Ｂモードによる２つのフィールド（Ｆ）での平均輝度は、｛０，１，2.5，３，４，６，７｝となる。また、階調段階（ｓ）と１つ前の階調段階（ｓ）との輝度の差は、｛−，１，1.5，0.5，１，２，１｝となる。また、階調段階（ｓ）と１つ前の階調段階（ｓ）との輝度の上昇値（％）は、｛−，−，150，20，33，50，17｝となる。
【００５５】
また一方、図１４において、同様の下位３ＳＦについて、一般的に点灯段階（ｓ）に対するＳＦ選択点灯をバイナリ符号化構成にした場合の点灯段階（ｓ＝０〜７）と平均輝度の関係を示している。ｓ＝０〜７において、点灯ＳＦによる合計の明るさは、Ａ，Ｂモードで０〜７で、Ａ，Ｂモードによる２つのフィールド（Ｆ）の平均輝度も同じであり、また、階調段階（ｓ）間の輝度の差は、すべて１となる。また、階調段階（ｓ）間の輝度の上昇値（％）は、｛−，−，150，20，33，50，17｝となる。
【００５６】
図１４をみると、点灯段階（ｓ）が１上がる毎に、２つのフィールド（Ｆ）での平均輝度（１フィールドの平均輝度も同じ）が１ずつ上昇する。そして、点灯段階（ｓ）間の輝度上昇値（％）は、例えばｓ＝４の箇所を考えると、１つ前のｓ＝３の輝度レベルは３で、ｓ＝４の輝度レベルが１上昇して４になるため、輝度上昇値（率）を、１／３＝３３％と考える。
【００５７】
ｓ＝３と４の間の表示レベル（階調値）を、公知の誤差拡散処理により補完して表現した場合において、それをベタ表示する場合を考える。即ち複数画素間で、そのｓ＝３と４の間の同じ入力表示データ値（例えば3.5）により表示させた場合である。この場合、画素間でｓ＝３と４が混在した映像として見える。ここでｓ＝３と４の輝度レベルの差が大きいと、誤差拡散の振り分けによる模様（ハッチ模様など）が視認される。よって、階調表現が少なく粗い映像として認識され、表示品位が阻害される。
【００５８】
ここで前記図１３を見ると、点灯段階（ｓ）が１上がる毎に、２つのフィールド（Ｆ）の平均輝度の点灯段階（ｓ）間の差は、0.5〜２となっている。問題となるのは、前の点灯段階（ｓ）との差が1.5や２と大きいｓ＝２，５の場合であり、その輝度上昇値（率）が150％，50％となっている。これは、図１４の構成に比較して、階調表現が少なく粗い映像として認識され、表示品位を阻害してしまう。
【００５９】
そこで、図１５のように、本構成例では、上記を防止するために、前記図５の構成に図１４の構成を組み合わせた図１５のＳＦ点灯パターンを用いる構成とする。図１５の枠で示す点灯段階（ｓ＝２〜６）の部分は、図１４のバイナリ符号化構成の対応部分と同じ構成である。このように、前述の実施の形態の構成と組み合わせて、下位３ＳＦ（ＳＦ１〜ＳＦ３）では、その途中に消灯があることを許可する構成（実際に消灯になり得るのは下位２ＳＦ）を用いる。
【００６０】
本構成例により、特に低階調側で目立つ、点灯段階（ｓ）の輝度レベルの上昇を抑え、更に、低階調側では輝度が暗いため一般に偽輪郭の発生も目立ち難く偽輪郭の対策の効果も殆ど変わらない程度であるため、より表示品位の阻害を抑制できる。
【００６１】
以上説明したように、各実施の形態によれば、従来の第１及び第２の方法を考慮して空間的及び更に時間的に組み合わせた構成により、階調表現の不足を抑えつつ、動画像表示時の偽輪郭の抑制の効果を実現できる。
【００６２】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００６３】
本発明は、ＰＤＰ装置、液晶表示装置などの、階調表示処理を行う表示装置に利用可能である。
【図面の簡単な説明】
【００６４】
【図１】本発明の一実施の形態のＰＤＰ装置における、全体の構成を示す図である。
【図２】本発明の一実施の形態のＰＤＰ装置における、表示パネル（ＰＤＰ）の構造例を示す図である。
【図３】本発明の一実施の形態のＰＤＰ装置における、フィールド及びサブフィールドの構成を示す図である。
【図４】本発明の実施の形態１のＰＤＰ装置における、フィールド内のｎ＝２種類のサブフィールド点灯パターン（モード）の空間的な配分の構成を示す図である。
【図５】本発明の実施の形態１のＰＤＰ装置における、ｎ＝２種類のモードの構成などを示す図である。
【図６】本発明の実施の形態２のＰＤＰ装置における、フィールド内のｎ＝４種類のＳＦ点灯パターン（モード）の空間的な配分の構成を示す図である。
【図７】本発明の実施の形態２のＰＤＰ装置における、ｎ＝４種類のモードの構成などを示す図である。
【図８】本発明の実施の形態３のＰＤＰ装置における、ｎ＝２種類のモードのフィールド間の配置の構成を示す図である。
【図９】本発明の実施の形態４のＰＤＰ装置における、ｎ＝４種類のモードのフィールド間の配置の構成を示す図である。
【図１０】本発明の各実施の形態のＰＤＰ装置の変形例における、ｎ＝２種類のモードの場合の複数フィールド間の配置の構成例（その１）を示す図である。
【図１１】本発明の各実施の形態のＰＤＰ装置の変形例における、ｎ＝２種類のモードの場合の複数フィールド間の配置の構成例（その２）を示す図である。
【図１２】本発明の各実施の形態のＰＤＰ装置の変形例における、ｎ＝２種類のモードの場合の複数フィールド間の配置の構成例（その３）を示す図である。
【図１３】図５の構成の場合における下位３サブフィールドが全て点灯するまでの点灯段階と平均輝度の関係などを示す図である。
【図１４】サブフィールド点灯パターンの一般的なバイナリ符号化構成における、下位３サブフィールドが全て点灯するまでの点灯段階と平均輝度の関係などを示す図である。
【図１５】本発明の各実施の形態のＰＤＰ装置の他の構成例における、図５と図１４の構成を合わせた、下位３サブフィールドではその途中に消灯があることを許可するサブフィールド点灯パターンの構成例を示す図である。
【図１６】従来技術の第１の方法における、サブフィールド点灯パターンの例を示す図である。
【図１７】従来技術の第２の方法における、サブフィールド点灯パターンの例などを示す図である。
【符号の説明】
【００６５】
１０…表示パネル（ＰＤＰ）、１１…前面基板、１２…背面基板、２１…Ｘ電極、２２…Ｙ電極、２３，２６…誘電体層、２４…保護層、２５…アドレス電極、２７…隔壁、２８…蛍光体、１１０…制御回路、１１１…階調表示処理部、１１２…フィールドメモリ部、１１３…タイミング生成部、１２０…駆動回路、１２１…Ｘドライバ、１２２…Ｙドライバ、１２３…アドレスドライバ、３００…フィールド、３１０…サブフィールド、３２１…リセット期間、３２２…アドレス期間、３２３…サステイン期間。
【図１】
2008051949.tif 000003
【図２】
2008051949.tif 000004
【図３】
2008051949.tif 000005
【図４】
2008051949.tif 000006
【図５】
2008051949.tif 000007
【図６】
2008051949.tif 000008
【図７】
2008051949.tif 000009
【図８】
2008051949.tif 000010
【図９】
2008051949.tif 000011
【図１０】
2008051949.tif 000012
【図１１】
2008051949.tif 000013
【図１２】
2008051949.tif 000014
【図１３】
2008051949.tif 000015
【図１４】
2008051949.tif 000016
【図１５】
2008051949.tif 000017
【図１６】
2008051949.tif 000018
【図１７】
2008051949.tif 000019